(57)【特許請求の範囲】
【請求項１】
柔軟性のある布状素材である第１の素材、持ち手である第２の素材、垂直方向に剛性を有する帯状素材である第３の素材が任意の順で重ねられて第１の接合点にて接合され、前記第１の素材及び前記第２の素材が前記第３の素材の下端より下部にある第２の接合点にて接続され、前記第１の接合点にかかる前記第１の素材の荷重及び該第１の素材が支える荷重が前記第２の接合点にかかる前記第１の素材の荷重及び該第１の素材が支える荷重よりも大きくないことを特徴とする持ち手取付機構。
【請求項２】
前記第１の素材が上部において１重もしくは多重の折り返し部分を形成し、前記折り返し部分に前記第３の素材が挿入もしくは接合されることを特徴とする請求項１記載の持ち手取付機構。
【請求項３】
前記第１の素材において、上部が開口、下部が閉じられた袋体を成していることを特徴とする請求項１もしくは２記載の持ち手取付機構。
【請求項４】
前記第１の素材が多重に形成され、該多重のうちの内側の布状素材に前記第２の素材が接続されることを特徴とする請求項１乃至３のうち１項記載の持ち手取付機構。
【請求項５】
前記多重に形成される前記第１の素材のうち、内側の布状素材に係る垂直方向寸法が外側の布状素材に係る垂直方向寸法より小であることを特徴とする請求項４項記載の持ち手取付機構。
【請求項６】
前記第２の素材が前記第１の素材の内面及び／又は外面に沿って延伸されることを特徴とする請求項１乃至５のうち１項記載の持ち手取付機構。
【請求項７】
前記第２の素材が複数の持ち手原料素材で構成され、該複数の持ち手原料素材のそれぞれが少なくとも前記第２の接合点において前記第１の素材に接続されることを特徴とする請求項１乃至６のうち１項記載の持ち手取付機構。
【請求項８】
前記第１の接合点或いは前記第２の接合点にもしくは前記第１、第２、第３の素材の少なくともいずれかに係る任意の部位に、袋体の覆いとなる布状素材が接合されることを特徴とする、請求項１乃至７のうち１項記載の持ち手取付機構。
【請求項９】
前記第１の素材が１重もしくは多重にて形成され、前記１重に係る前記第１の素材或いは前記多重に係る前記第１の素材の少なくともいずれかの層が延伸し、袋体の覆いを形成することを特徴とする請求項１乃至８のうち１項記載の持ち手取付機構。
【請求項１０】
前記第１の素材が上部において１重もしくは多重の折り返し部分を形成し、前記折り返し部分が袋体の覆いを形成することを特徴とする請求項１乃至７のうち１項記載の持ち手取付機構。
【請求項１１】
前記第１の素材の上部部分の略全周に亘り締め付け紐が取り付けられることを特徴とする請求項１乃至１０のうち１項記載の持ち手取付機構。
【請求項１２】
前記第３の素材は水平方向に剛性を持つことを特徴とする請求項１乃至１１のうち１項記載の持ち手取付機構。
【請求項１３】
前記第３の素材は水平方向に柔軟性を持つことを特徴とする請求項１乃至１１のうち１項記載の持ち手取付機構。
【請求項１４】
前記第１の素材にて袋体が形成され、該袋体の開口端部をなす前記第１の素材の互いに対向する箇所に接合手段が付されることを特徴とする請求項１乃至１３のうち１項記載の持ち手取付機構。
【請求項１５】
前記袋体の覆いに係る開口端部の互いに対向する箇所に接合手段が付されることを特徴とする請求項８乃至１０のうち１項記載の持ち手取付機構。
【請求項１６】
前記接合手段は、前記互いに対向する箇所の一方にボタンを付し他方に該ボタンを通す穴を設けた第１の接合手段、前記互いに対向する箇所の一方に面ファスナーのループ部を設けた方に該面ファスナーの引っ掛け部を設けた第２の接合手段、前記互いに対向する箇所に互いに吸着する磁石を設けた第３の接合手段、前記互いに対向する箇所にジッパー構造を設けた第４の接合手段、前記互いに対向する箇所に留め金構造を設けた第５の接合手段の少なくともいずれかであることを特徴とする請求項１４もしくは１５記載の持ち手取付機構。
【発明の詳細な説明】
【技術分野】
【０００１】
本発明はたとえば持ち手取付機構に係り、特に底部を閉じた袋体容器の開口部上縁に取付ける持ち手取付機構に関する。
【背景技術】
【０００２】
従来、ネクタイ、ワイシャツの袖口、ズボンのすそ、フォーマルジャケットのポケット上縁のごとき一般的な服飾やカバン類の縁の形態が直線的であることが好まれている。これは、服飾に端正さを与え、ひいては該服飾着用者に端正な整った外見を与えることになり、特にフォーマルな状況では望ましいものである。
【０００３】
上記と同様な理由で、バッグやカバンの様な持ち手つき容器のデザインを保つためには最上縁の直線性が重要である。しかし、持ち手つき容器の最上縁の直線性を保つことは難しく、特に柔軟性のある材料から構成される持ち手つき袋体容器においては難しい。
【０００４】
即ち、柔軟性素材で構成される袋体容器の最上縁に持ち手を取付けた場合は、該袋体容器中に入れられた重量物の重量作用点が袋体容器最上縁の持ち手取付点に掛かるため、図１のごとく取付点以外の最上縁部が撓んだり垂れ下がったりしてしまう。このような状態を避けるため、最上縁部を撓まない剛体で構成し、ここに持ち手を取付ける方法があるが、トートバッグの様に持ち手を肩にかけて使用する場合は、最上縁の剛体が袋体容器携帯者の身体に当たって携帯者に痛みや不快感を与えてしまう。また、袋体容器携帯者にすれ違う人や、至近に来る人に該剛体がぶつかって痛みや不快感を与えてしまう恐れもある。
【０００５】
また、トートバッグや手提げバッグのような袋体は、携帯する人のファッションを左右する重要なアイテムで、外形ばかりか袋体表面のデザインが重要で、袋体の内蔵物や携帯することによって図１のように袋体の形態が崩れないことが必要である。
【０００６】
袋体の使用状態の如何に係らず、袋体の形態を維持するために袋体の素材として剛性の高いものを使用することが考えられるが、袋体の重量が増加して携帯しづらい上、袋体が携帯者にぶつかって不快感を与える恐れがある。
【０００７】
たとえば、特許文献１では、折曲線が長さ方向に形成されるように幅方向に折り曲げて両端部側に折曲線に沿って切り込みを入れて取付部を構成することで把手構成体を取り付けた溶着部の近傍が破れ難いようにする、とする技術思想が開示されている。しかし特許文献１に記載の技術思想では袋体の形態の維持という点には何の着眼もなされていない。
【０００８】
また、たとえば特許文献２では、紙袋本体の開口部上縁に設定された折込代より下の位置に補強片を接着しかかる補強片を貫通するように取付孔を設け、ハンドルピース先端をこの取付孔に挿入した上で任意の方向に折り曲げて形成することで比較的重量のある荷物を入れた場合でもハンドルピースの抜けが防止できるとする技術思想が開示されている。しかし、特許文献２に記載の技術思想では、同様に、袋体の形態の維持という点には何の着眼もなされていない。
【先行技術文献】
【特許文献】
【０００９】
【特許文献１】特開２００６−３４１９１８号公報
【特許文献２】実用新案登録第３０８８２０８号公報
【発明の概要】
【発明が解決しようとする課題】
【００１０】
本発明は、底部を閉じた袋体容器の開口部上縁に取付ける持ち手機構であって、袋対に収容する収容物や携帯方法によって袋体のデザインが大幅に変化しないようにすることの可能な持ち手取付け機構を提供することを課題とする。
【００１１】
特に、袋体の上縁の直線性を保つことの可能な持ち手取付け機構を提供することを課題とする。更に、このように直線性を保つことにより袋体に整った外見を与え、更に高級感をかもし出すことの可能な持ち手取付け機構を提供する。
【００１２】
さらにまた、袋体の重量を増加させることなく、袋体携帯者や至近者にぶつかって不快感や痛みを与えることの無いようにすることの可能な持ち手取付け機構を提供することをも課題とする。
【課題を解決するための手段】
【００１３】
上記課題を解決するために、本発明の第１の態様は、柔軟性のある布状素材である第１の素材、持ち手である第２の素材、垂直方向に剛性を有する帯状素材である第３の素材が任意の順で重ねられて第１の接合点にて接合され、前記第１の素材及び前記第２の素材が前記第３の素材の下端より下部にある第２の接合点にて接続され、前記第１の接合点にかかる前記第１の素材の荷重及び該第１の素材が支える荷重が前記第２の接合点にかかる前記第１の素材の荷重及び該第１の素材が支える荷重よりも大きくないことを特徴とする持ち手取付機構として実現される。
【００１４】
この場合に、前記第１の素材が上部において１重もしくは多重の折り返し部分を形成し、前記折り返し部分に前記第３の素材が挿入もしくは接合される態様とすることもできる。
【００１５】
さらに上記の場合に、上部が開口、下部が閉じられた袋体を成している構成を採用してもよい。
【００１６】
同様に、前記第１の素材が多重に形成され、該多重のうちの内側の布状素材に前記第２の素材が接続される構成を採用してもよい。
【００１７】
同様に、前記多重に形成される前記第１の素材のうち、内側の布状素材に係る垂直方向寸法が外側の布状素材に係る垂直方向寸法より小である構成を採用してもよい。
【００１８】
同様に、前記第２の素材が前記第１の素材の内面及び／又は外面に沿って延伸される構成を採用してもよい。
【００１９】
同様に、前記第２の素材が複数の持ち手原料素材で構成され、該複数の持ち手原料素材のそれぞれが少なくとも前記第２の接合点において前記第１の素材に接続される構成を採用してもよい。
【００２０】
同様に、前記第１の接合点或いは前記第２の接合点にもしくは前記第１、第２、第３の素材の少なくともいずれかに係る任意の部位に、袋体の覆いとなる布状素材が接合される構成を採用してもよい。
【００２１】
同様に、前記第１の素材が１重もしくは多重にて形成され、前記１重に係る前記第１の素材或いは前記多重に係る前記第１の素材の少なくともいずれかの層が延伸し、袋体の覆いを形成するような構成を採用してもよい。
【００２２】
同様に、前記第１の素材が上部において１重もしくは多重の折り返し部分を形成し、前記折り返し部分が袋体の覆いを形成するような構成を採用してもよい。
【００２３】
同様に、前記第１の素材の上部部分の略全周に亘り締め付け紐が取り付けられる構成を採用してもよい。
【００２４】
また、前記第３の素材は水平方向に剛性を持つ構成を採用してもよい。
【００２５】
さらに、前記第３の素材は水平方向に柔軟性を持つ構成を採用してもよい。
【００２６】
さらにまた、前記第１の素材にて袋体が形成され、該袋体の開口端部をなす前記第１の素材の互いに対向する箇所に接合手段が付されるような構成を採用してもよい。
【００２７】
また、前記袋体の覆いに係る開口端部の互いに対向する箇所に接合手段が付されるような構成を採用してもよい。
【００２８】
この場合に、前記接合手段は、前記互いに対向する箇所の一方にボタンを付し他方に該ボタンを通す穴を設けた第１の接合手段、前記互いに対向する箇所の一方に面ファスナーのループ部を設けた方に該面ファスナーの引っ掛け部を設けた第２の接合手段、前記互いに対向する箇所に互いに吸着する磁石を設けた第３の接合手段、前記互いに対向する箇所にジッパー構造を設けた第４の接合手段、前記互いに対向する箇所に留め金構造を設けた第５の接合手段の少なくともいずれかであるとしてもよい。
【発明の効果】
【００２９】
本発明は上記のとおりの構成を有することから、本発明に係る形態保持持ち手機構を、例えばトートバッグや手提袋の持ち手の取り付けに応用すれば、バッグの収容物の如何に係らずバッグの形態を保持し、ファッションデザインを崩すことが少ない。
【００３０】
更に、バッグの上縁の直線性が保たれるためバッグ自体の高級感をかもし出すことができる。また、柔軟性のある布状素材を多重にして内側素材にのみ荷重がかかるようにすることにより、表面の布状素材が歪を覆い隠してバッグのデザインを害することがない。
【図面の簡単な説明】
【００３１】
【図１】従来技術による持ち手取付けを行った場合の斜視図である。
【図２】本発明の一実施形態に係る持ち手取付け部の説明図である。
【図２−１】本発明の一実施形態に係る持ち手取付け部の説明図である。
【図２−２Ａ】本発明の一実施形態に係る持ち手取付け部の説明図である。
【図２−２Ｂ】本発明の一実施形態に係る持ち手取付け部の説明図である。
【図２−２Ｃ】本発明の一実施形態に係る持ち手取付け部の説明図である。
【図２−２Ｄ】本発明の一実施形態に係る持ち手取付け部の説明図である。
【図２−２Ｅ】本発明の一実施形態に係る持ち手取付け部の説明図である。
【図２−２Ｆ】本発明の一実施形態に係る持ち手取付け部の説明図である。
【図３】本発明をバッグの持ち手取り付けに応用した場合の概略図である。
【図４】本発明の一実施形態に係るバッグの携帯概略図である。
【図５】本発明の一実施形態に係るバッグに重量物を入れた場合の概略図である。
【図６】本発明の一実施形態に係る２重素材バッグの概略図である。
【図６Ａ−１】本発明の一実施形態に係る２重素材バッグの持ち手取付け部の説明図である。
【図６Ａ−２】本発明の一実施形態に係る２重素材バッグの持ち手取付け部の説明図である。
【図６Ａ−３】本発明の一実施形態に係る２重素材バッグの持ち手取付け部の説明図である。
【図６Ａ−４】本発明の一実施形態に係る２重素材バッグの持ち手取付け部の説明図である。
【図６Ａ−５】本発明の一実施形態に係る２重素材バッグの持ち手取付け部の説明図である。
【図６Ａ−６】本発明の一実施形態に係る２重素材バッグの持ち手取付け部の説明図である。
【図６Ａ−７】本発明の一実施形態に係る２重素材バッグの持ち手取付け部の説明図である。
【図６Ａ−８】本発明の一実施形態に係る２重素材バッグの持ち手取付け部の説明図である。
【図６Ａ−９】本発明の一実施形態に係る２重素材バッグの持ち手取付け部の説明図である。
【図６Ａ−１０】本発明の一実施形態に係る２重素材バッグの持ち手取付け部の説明図である。
【図６Ａ−１１】本発明の一実施形態に係る２重素材バッグの持ち手取付け部の説明図である。
【図６Ａ−１２】本発明の一実施形態に係る２重素材バッグの持ち手取付け部の説明図である。
【図６Ａ−１３】本発明の一実施形態に係る２重素材バッグの持ち手取付け部の説明図である。
【図６Ａ−１４】本発明の一実施形態に係る２重素材バッグの持ち手取付け部の説明図である。
【図７】本発明の一実施形態に係る持ち手取付け例概略図である。
【図８】本発明の一実施形態に係るバッグの蓋取付け例概略図である。
【図９】本発明の一実施形態に係るバッグ外皮延長蓋概略図である。
【図１０】本発明の一実施形態に係るバッグの紐取付け図である。
【発明を実施するための形態】
【００３２】
以下図面を参照して本発明を実施するための形態について説明する。なお、以下では本発明の目的を達成するための説明に必要な範囲を模式的に示し、本発明の該当部分の説明に必要な範囲を主の説明することとし、説明を省略する箇所については公知技術によるものとする。
【００３３】
図１は、柔軟性布状素材から構成されるバッグに、従来の方法で持ち手を付けた例を示す概略図である。柔軟性素材のため、図１に示す如くバッグの上縁部が重力で垂れ下がったり、撓んだりして、折角のバッグのデザインや模様を保つことができない。
【００３４】
図２は、本発明の一実施形態に係る持ち手取付け部の説明図である。図２（ａ）は、柔軟性のある布状素材２１の端部たとえば上端に、合成樹脂板或いは皮革のような垂直方向に剛性があり水平方向に柔軟性があるリブ（帯状素材）２２を取り付け、リブ２２の下端より下部の取付点２４に持ち手２３を取り付けた例である。以下、リブ（帯状素材）２２としては垂直方向に剛性があり水平方向に柔軟性がある態様を好適とするが、垂直方向及び水平方向に剛性を有する素材（たとえば木材、金属等）を用いてもよい。この場合には、使用者の快適性は若干損なわれるものの、袋体としての剛性をより確保できる。使用目的に応じてリブ（帯状素材）２２の材質を選択すればよい。以下では、垂直方向に剛性があり水平方向に柔軟性がある態様を例にとって説明を続ける。
【００３５】
図２（ｂ）は、柔軟性のある布状素材２１の端部にて１重の折り返しを形成し、折込中にリブ２２を挟み込んだ例であり、図２（ｃ）は柔軟性のある布状素材の端部を更に織り込んだで２重の折り返しを形成した例である。なお、このような折り返しを形成する場合に、リブ２２は必ずしも折り返しの中に挿入されていなくてもよく、折り返しの外側或いは内側に取り付けられる態様（図示しない）をとってもよい。これらのように、柔軟性のある布状素材の端部の折り込み方は更に多重にする等いろいろ考えられるが、それ等は全て本発明の技術思想に含まれるものである。
【００３６】
図２（ａ），図２（ｂ），図２（ｃ）は持ち手２３を、柔軟性のある布状素材２１の内側に取り付けた例を示したが、図２（ｄ）の如く外側に取付けてもよい。上記の１重或いは多重折り返し部分が図２（ｅ）の様に、その重量で剥離しないよう、持ち手２３に重量がかからない程度に図２（ｆ）の如く持ち手２３との接合部である矢印線のＡ−Ｂ部２５をマジックテープ（登録商標）や柔軟性のある接着剤等で軽く接続しておく態様であってもよい。なお、図２−１（ａ）、（ｂ）、（ｃ）、（ｄ）に示す如く袋体の重量は、持ち手２３と布状素材２１とのＣ−Ｄ接合部２４に掛かり、Ａ−Ｂ部２５にはかからない。また、持ち手２３と布状素材との結合方法は図２以外にも図２−２Ａ、図２−２Ｂ、図２−２Ｃ、図２−２Ｄ、図２−２Ｅ、図２−２Ｆの如く各種考えられるが、これらはすべて本発明の技術思想に含まれるものである。
【００３７】
ここで、上記のＡ−Ｂ部２５に荷重がかからない構造についてさらに詳細に説明する。図２−１（ａ）は、素材２１に重量体２０が懸下され、したがって重量が素材２１を通じてかかる様子を示している。素材２１にはＡ−Ｂ部２５にてブロック体２６が取り付けられるが、このＡ−Ｂ部２５には重量がかからない。凡例として、図２−１（ｅ）に示される２７のような表記は第１素材の荷重がかからない状態、２８は第２素材の荷重がかからない状態、図２−１（ｆ）に示される２９のような表記は上記第１素材に荷重がかかった状態、２８は上記第２素材に荷重がかかった状態、をそれぞれ表す。
【００３８】
図２−１（ｂ）は、素材２１に重量体２０が懸下され、さらに第２の素材２３には素材２１がＡ−Ｂ部２５及びＣ−Ｄ部２４に取り付けられる様子を示している。素材２３におけるＡ−Ｂ部２５及びＣ−Ｄ部２４間の長さと素材２１におけるＡ−Ｂ部２５及びＣ−Ｄ部２４間の長さとは等しい。したがって、重量は素材２３の一部と素材２１の一部とにシェアされてかかる。この場合に、素材２１及び素材２３にはＡ−Ｂ部２５にてブロック体２６が取り付けられるが、このＡ−Ｂ部２５には重量がかからない。
【００３９】
図２−１（ｃ）は、素材２１に重量体２０が懸下され、さらに第２の素材２３には素材２１がＡ−Ｂ部２５及びＣ−Ｄ部２４に取り付けられる様子を示している。素材２３におけるＡ−Ｂ部２５及びＣ−Ｄ部２４間の長さは素材２１におけるＡ−Ｂ部２５及びＣ−Ｄ部２４間の長さより長い。したがって、Ａ−Ｂ部２５及びＣ−Ｄ部２４間において重量は素素材２１を通じてかかることになるが、このＡ−Ｂ部２５及びＣ−Ｄ部２４間における素材２３は重量の負担とは切り離されている。この場合に、素材２１及び素材２３にはＡ−Ｂ部２５にてブロック体２６が取り付けられるが、このＡ−Ｂ部２５には重量がかからない。
【００４０】
図２−１（ｄ）は、素材２１に重量体２０が懸下され、さらに第２の素材２３には素材２１がＡ−Ｂ部２５及びＣ−Ｄ部２４に取り付けられる様子を示している。素材２３におけるＡ−Ｂ部２５及びＣ−Ｄ部２４間の長さは素材２１におけるＡ−Ｂ部２５及びＣ−Ｄ部２４間の長さより短い。したがって、Ａ−Ｂ部２５及びＣ−Ｄ部２４間において重量は素素材２３を通じてかかることになるが、このＡ−Ｂ部２５及びＣ−Ｄ部２４間における素材２１は重量の負担とは切り離されている。この場合に、素材２１及び素材２３にはＡ−Ｂ部２５にてブロック体２６が取り付けられるが、このＡ−Ｂ部２５には重量がかからない。
【００４１】
本願発明に係る技術思想を実際に適用する場合には、請求項１に記載されるような構造体の構成において、上述の議論の理解が本願発明が構成される構造体の要素の次元を決定するのに重要である。この点を念頭に、図２−１（ｂ）、図２−１（ｃ）、図２−１（ｄ）を用いて本願発明の要素を次に詳述する。
【００４２】
図２−１（ｂ）は、重量がかかっている袋体に係る布状素材２１が対象物重量体２０を支えており、かかる布状素材２１がＣ−Ｄ部２４にて持ち手（ストラップ）２３に接続され、さらにその上部においてリブ２２、素材２１、持ち手（ストラップ）２３がＡ−Ｂ部２５にて連結される態様を示している。
【００４３】
同図において、Ａ−Ｂ部２５及びＣ−Ｄ部２４の両箇所で連結される両要素、すなわち素材２１の一部であるＡ−Ｂ部２５及びＣ−Ｄ部２４間の長さと素材２２の一部であるＡ−Ｂ部２３及びＣ−Ｄ部２４間の長さとは等しい。したがって、重量は素材２２の一部と素材２１の一部とにシェアされてかかる。しかしこの場合に、リブ２２はＡ−Ｂ部２３にのみ取り付けられるため重量がかからない。
【００４４】
図２−１（ｃ）は、重量がかかっている袋体に係る布状素材２１が対象物重量体２０を支えており、かかる布状素材２１がＣ−Ｄ部２４にて持ち手（ストラップ）２３に接続され、さらにその上部においてリブ２２、素材２１、持ち手（ストラップ）２３がＡ−Ｂ部２５にて連結される態様を示している。
【００４５】
同図において、Ａ−Ｂ部２５及びＣ−Ｄ部２４の両箇所で連結される両要素、すなわち素材２１の一部であるＡ−Ｂ部２５及びＣ−Ｄ部２４間の長さと素材２２の一部であるＡ−Ｂ部２３及びＣ−Ｄ部２４間の長さとは等しくない。したがって、重量は素材２２の一部と素材２１の一部とにシェアされない。同図において、素材２１におけるＡ−Ｂ部２３及びＣ−Ｄ部２４間の長さは持ち手（ストラップ）２３におけるＡ−Ｂ部２３及びＣ−Ｄ部２４間の長さはより短い。したがって、重量は素材２１を通じてかかり、持ち手（ストラップ）２３におけるＡ−Ｂ部２３及びＣ−Ｄ部２４間の部分には重量がかからない。      リブ２２はＡ−Ｂ部２３にのみ取り付けられるため重量がかからない。
【００４６】
図２−１（ｄ）は、重量がかかっている袋体に係る布状素材２１が対象物重量体２０を支えており、かかる布状素材２１がＣ−Ｄ部２４にて持ち手（ストラップ）２３に接続され、さらにその上部においてリブ２２、素材２１、持ち手（ストラップ）２３がＡ−Ｂ部２５にて連結される態様を示している。
【００４７】
同図において、上記と同様に、Ａ−Ｂ部２５及びＣ−Ｄ部２４の両箇所で連結される両要素、すなわち素材２１の一部であるＡ−Ｂ部２５及びＣ−Ｄ部２４間の長さと素材２２の一部であるＡ−Ｂ部２３及びＣ−Ｄ部２４間の長さとは等しくない。したがって、重量は素材２２の一部と素材２１の一部とにシェアされない。同図において、素材２１におけるＡ−Ｂ部２３及びＣ−Ｄ部２４間の長さは持ち手（ストラップ）２３におけるＡ−Ｂ部２３及びＣ−Ｄ部２４間の長さはより長い。したがって、重量は持ち手（ストラップ）２３を通じてかかり、素材２１におけるＡ−Ｂ部２３及びＣ−Ｄ部２４間の部分には重量がかからない。リブ２２はＡ−Ｂ部２３にのみ取り付けられるため重量がかからない。
【００４８】
図２−１（ｂ）に示される状況は、持ち手（ストラップ）２３及び素材２１が袋体の懸下する重量体によって同程度に伸びる素材でできているのであれば、本願発明では許容範囲内である。というのは、持ち手（ストラップ）２３のＡ−Ｂ部２５及びＣ−Ｄ部２４間の部分の伸び及び素材２１のＡ−Ｂ部２５及びＣ−Ｄ部２４間の部分の伸びは等しくなるから、持ち手（ストラップ）２３のＡ−Ｂ部２５及びＣ−Ｄ部２４間の部分が素材２１のＡ−Ｂ部２５及びＣ−Ｄ部２４間の部分より長くなって図２−１（ｃ）に示されるような結果を招来しないからである。
【００４９】
図２−１（ｄ）に示される状況は、持ち手（ストラップ）２３を構成する素材が及び素材２１を構成する素材よりも若干でも長く伸びる材質であれば、本願発明では許容範囲内である。というのは、持ち手（ストラップ）２３のＡ−Ｂ部２５及びＣ−Ｄ部２４間の部分の当該若干の伸び代が素材２１のＡ−Ｂ部２５及びＣ−Ｄ部２４間の部分の伸び代より長くなって図２−１（ｃ）に示されるような結果を招来しないからである。
【００５０】
そうはいっても、上述したように伸びる結果、図２−１（ｂ）に示されるように素材２１の当該部分及び持ち手（ストラップ）２３の当該部分の両者が同一長となることによって、持ち手（ストラップ）２３のＡ−Ｂ部２５及びＣ−Ｄ部２４間の部分及び素材２１のＡ−Ｂ部２５及びＣ−Ｄ部２４間の部分が重量をシェアすることになる可能性もある。
【００５１】
上記の図２−１（ｂ）及び図２−１（ｄ）に示される状況についての記述において、当該状況について上記述べた利点は、仮にかなりの重量物が袋体に入れられたために構成体の諸要素が伸びる状況になったとしても、図２−１（ｃ）に示されるような状況は決して起こらない、ということである。
【００５２】
結論として、図２−１（ｃ）に示されるような状況は、本願発明においては許容される割合が最も低いものである。というのは、持ち手（ストラップ）２３のＡ−Ｂ部２５及びＣ−Ｄ部２４間の部分の長さが素材２１のＡ−Ｂ部２５及びＣ−Ｄ部２４間の部分の長さよりも長いときには、素材２１のＡ−Ｂ部２５及びＣ−Ｄ部２４間の当該伸びた部分に繋がっている素材２１は（この場合、接着剤や縫製によって接続されている素材であれば、特に）そのＡ−Ｂ部２５及びＣ−Ｄ部２４間の部分が伸びてリブ材の表面領域のいずれかの部分が伸びることになる結果、リブが変形を起こし、それに伴って袋体の上端部分が変形してしまうからである。
【００５３】
本願発明において最も好適なのは、図２−１（ｄ）に示されるような、持ち手（ストラップ）２３を構成する素材がＡ−Ｂ部２５及びＣ−Ｄ部２４間において、素材２１のＡ−Ｂ部２５及びＣ−Ｄ部２４間の部分の長さよりも長くは伸びず、したがって、図２−１（ｃ）に示されるような状況には決してならず、かといって図２−１（ｂ）に示されるような状況にもならないためにリブ部分が伸びるという恐れが決してない、というものである。
【００５４】
なお、本願発明において、図２−１（ｂ）に示されるような態様は、持ち手（ストラップ）２３が垂直方向に伸びない素材（たとえば金属、木材、プラスチック等）によってなっている場合には許容されるものである。というのは、持ち手（ストラップ）２３におけるＡ−Ｂ部２５及びＣ−Ｄ部２４間の部分の伸び代はゼロとなることから、素材２１のＡ−Ｂ部２５及びＣ−Ｄ部２４間の部分の伸びもゼロとなるため、リブ（帯状素材）２２は変形することから保護されることになるからである。持ち手（ストラップ）２３におけるＡ−Ｂ部２５及びＣ−Ｄ部２４間の部分と、素材２１のＡ−Ｂ部２５及びＣ−Ｄ部２４間の部分とで略均等に荷重を負担する態様も本願において許容され、したがってこれらはすべて本願に係る技術思想に包含されるものである。
【００５５】
図３は、本発明による持ち手取付機構をトートバッグのようなバッグの持ち手の取付に応用した例を示している。図３に示すようにバッグの重量は取付点２４にかかるためバッグの上縁は撓むことなく直線性を保ち、バッグのデザインや形態を崩すことが無い。
【００５６】
図４は、本発明による持ち手取付機構によるバッグを肩にかけた例を示している。図４の如く、バッグの上縁は直線性を保ちながらバッグ携帯者４１の身体に沿って柔軟に曲がり、携帯者に痛みを与えたり不快感を与えたりすることが無い。
【００５７】
図５は、本発明の持ち手取付機構を１重の柔軟性布状素材から構成されるバッグに応用した場合の例を示している。図５ではバッグに重量物を入れた場合の例であり、バッグ上縁は直線性を保っているが、柔軟性布状素材の外面に撓みが出てバッグのデザインをゆがめてしまう可能性がゼロとはいえない場合がある。そこで、図６に示されるような本願の第２の態様が考えられる。
【００５８】
図６は、本発明の持ち手取付機構を多重の柔軟性布状素材から構成されるとしたバッグのうち、２重の素材から成るバッグに応用した場合の例を示している。図６（ａ）の如く、持ち手６１は布状素材の内側布状素材６２に取付けられており、外側の布状素材６３は内側の布状素材６２を覆っている。この場合に、持ち手６１は外側の布状素材６３と接合されていても接合されていなくてもよいが、いずれにしても、荷重は内側の布状素材６２にのみかかり外側の布状素材６３には実質的にかからない。図６（ｂ）はこの２重の柔軟性素材から構成されるバッグ全体の断面的概略図である。また、多重の布状素材と持ち手との接合方法は図６Ａ−１〜図６Ａ−１４に示す如く種々考えられるが、これらは全て本発明の技術思想に含まれるものである。
【００５９】
図５で示したようにバッグの中に重量物を収容すると、図６（ｂ）の如く内側布状素材６２は、図６（ａ）の点線で示すように撓みが出る場合がある。しかし、外側布状素材６３には持ち手が接続されていないか、もしくは持ち手が接続されていても荷重は内側の布状素材６２にのみかかり外側の布状素材６３には実質的にかからないので、外側布状素材６３の撓みは殆ど現れない。特に内側布状素材６２が構成する袋体の垂直方向寸法を図６（ｂ）に示す如く、外側布状素材６３の垂直方向寸法より小としておけばさらに良い。
【００６０】
図７（ａ）は、本発明の持ち手取付機構の持ち手７１をバッグのような袋体の外側垂直方向に沿って延伸させた概略図である。かくの如くすることにより、バッグに係る重量は持ち手７１が支えることになり、バッグが丈夫になることはもちろんバッグのデザインが崩れることも防止できる。図７では持ち手７１をバッグの外側に沿って延伸させた例を示したが、同様にバッグの内側に延伸させても良く、内側と外側両方に同時に延伸させても良い。更に、図７（ｂ）の如く外側と内側とに分割して延伸させても良く、これらはすべて本発明の技術思想に含まれるものである。
【００６１】
図８（ａ）は、柔軟性のある布状素材８１の端部を１重或いは多重折り返し部分８２として形成し、この１重或いは多重折り返し部分８２に袋体の蓋（カバー）となる素材８３を取り付けた断面図である。蓋となる素材８３の取り付け方には図８（ｂ）、図８（ｃ）の如く種々方法があり、蓋となる素材８３の蓋接合部８４としてはジッパや留め金具、マグネット、ボタン及びボタン孔、紐等色々な方法があり、さらにはたとえば蓋となる素材８３、８３を双方の端部が重なるようにし、互いに接合されていないものの実質的に内容物が閉止される構造とすることもでき、それ等は全て本発明の技術思想に含まれるものである。
【００６２】
また、蓋となる素材８３の取付け方は図８（ｂ）、図８（ｃ）の如く種々考えられるが、それらは全て本発明の技術思想に含まれるものである。
【００６３】
図９は、袋体を構成する柔軟性のある布状素材９１と９２とを上記１重或いは多重折り返し部分９３より延長して、図８で説明した袋体の蓋とした例を示している。布状素材の延長方法は、図９（ａ）、図９（ｂ）、図９（ｃ）の如く、その他種々の方法が考えられるが、それ等は全て本発明の技術思想に含まれるものである。
【００６４】
図１０（ａ）、（ｂ）は、袋体の持ち手１１３を一つ以上とし、上記１重或いは多重折り返し部分１１１に紐１１２を通し、紐１１２を引き絞ることにより袋体の上部を閉ざすことができる概略図である。図１０（ａ）、図１０（ｂ）で示した如く紐の通し方法や色々は袋体への応用が考えられるが、それ等は全て本発明の技術思想に含まれるものである。
【００６５】
また、本発明のバッグの上縁部直線性をさらに強調するため袋体の１重あるいは多重折り返し部分に垂直方向及び水平方向に剛性を持つ帯状素材を接合或いは挿入してもよい。
【００６６】
さらにまた、柔軟性のある布状素材２１が袋体を形成する場合、かかる袋体についての開口端部をなす布状素材２１の特定部位、たとえば上部エッジの互いに対向する箇所に、両者を接合（巾着、装着、連結を含む）する構造が付されるようにしてもよい。
【００６７】
この場合の接合の手段としては、互いに対向する箇所の一方にボタンを付し他方に該ボタンを通す穴を設けたボタン構造、互いに対向する箇所の一方に面ファスナーのループ部を設けた方に面ファスナーの引っ掛け部を設けた面ファスナー構造、互いに対向する箇所に互いに吸着する磁石を設けた磁石構造、互いに対向する箇所にジッパーを設けたジッパー構造、互いに対向する箇所に留め金具を設けた留め金具構造の少なくともいずれかを採用してもよい。
【産業上の利用可能性】
【００６８】
上述したように、本願に係る形態保持持ち手機構をバッグに応用すれば、バッグの携帯者の身体になじんだ形態でのままで、バッグのデザインに影響を与えることが少ない。
【００６９】
さらにバッグばかりでなく、各種の袋体や布状素材を用いた製品の持ち手に応用ができ、上縁の直線性が保たれるため、各種製品に高級感や端正は印象を与えることができる。従って、本願発明は服飾産業等各種産業で大いなる利用可能性がある。
【符号の説明】
【００７０】
２１…柔軟性のある布状素材、２２…リブ、２３…持ち手、２４…取付点、２５…接合点、４１…バッグ携帯者、６１…持ち手、６２…内側布状素材、６３…外側布状素材、７１…持ち手、８１…布状素材、８２…折り返し部分、８３…蓋となる素材、８４…蓋接合部、９１，９２…布状素材、９３…折り返し部分、１０１…折り返し部分、１１２…紐、１１３…持ち手
【要約】
【課題】  底部を閉じた袋体容器の開口部上縁に取付ける持ち手機構であって、袋対に収容する収容物や携帯方法によって袋体のデザインが大幅に変化しないようにすること。
【解決手段】  柔軟性のある布状素材の略垂直方向に持ち手を取付ける機構において、前記柔軟性のある布状素材の上部の１重或いは多重折り返し部に垂直方向に剛性を持ち水平方向には柔軟性を有する帯状素材が接合或いは挿入され、前記持ち手が前記接合あるいは挿入された素材の下端より下部に接続されることを特徴とする。
【選択図】図１【図１】
0005877437.tif 000002
【図２】
0005877437.tif 000003
【図２−１】
0005877437.tif 000004
【図２−２Ａ】
0005877437.tif 000005
【図２−２Ｂ】
0005877437.tif 000006
【図２−２Ｃ】
0005877437.tif 000007
【図２−２Ｄ】
0005877437.tif 000008
【図２−２Ｅ】
0005877437.tif 000009
【図２−２Ｆ】
0005877437.tif 000010
【図３】
0005877437.tif 000011
【図４】
0005877437.tif 000012
【図５】
0005877437.tif 000013
【図６】
0005877437.tif 000014
【図６Ａ−１】
0005877437.tif 000015
【図６Ａ−２】
0005877437.tif 000016
【図６Ａ−３】
0005877437.tif 000017
【図６Ａ−４】
0005877437.tif 000018
【図６Ａ−５】
0005877437.tif 000019
【図６Ａ−６】
0005877437.tif 000020
【図６Ａ−７】
0005877437.tif 000021
【図６Ａ−８】
0005877437.tif 000022
【図６Ａ−９】
0005877437.tif 000023
【図６Ａ−１０】
0005877437.tif 000024
【図６Ａ−１１】
0005877437.tif 000025
【図６Ａ−１２】
0005877437.tif 000026
【図６Ａ−１３】
0005877437.tif 000027
【図６Ａ−１４】
0005877437.tif 000028
【図７】
0005877437.tif 000029
【図８】
0005877437.tif 000030
【図９】
0005877437.tif 000031
【図１０】
0005877437.tif 000032